(57)【特許請求の範囲】
【請求項１】
第１ブロックと、この第１ブロックに回転可能に結合される第２ブロックと、を備え、  前記第１ブロックを部分的に覆う第１のスタイルと、前記第１ブロックと前記第２ブロックとの回動状態により前記第１のスタイルとは異なる第２のスタイルと、をとることが可能な筐体構造であって、
前記第２ブロックは、前記第１ブロックに対し回転可能に接続される端部部材と、前記端部部材に対し着脱可能に接続される本体部材とからなり、前記本体部材の内部に、前記第１ブロック内部の回路基板に導通可能な回路が設けられ、
前記回路は、前記端部部材の前記第１ブロックに対する回転可能な接続箇所で前記回路基板に電気的接続され、
前記第１ブロックは、前記端部部材に対する回転可能な接続箇所の内部に、前記回路基板と前記本体部材の前記回路とを電気的に導通させるための導通部材が設けられていることを特徴とする筐体構造。
【請求項２】
前記本体部材内部の前記回路が、前記端部部材の前記第１ブロックに対する回転可能な接続箇所において、前記回路基板に対し、前記導通部材を前記第１ブロックから突出方向に付勢する弾性部材の付勢力により電気的接続状態に保持されることを特徴とする請求項１に記載の筐体構造。
【請求項３】
前記端部部材には、前記本体部材を外す際に操作される押しボタンが設けられ、
前記押しボタンが操作されると、前記弾性部材が圧縮変形して前記端部部材から前記本体部材を取り外し可能な状態となることを特徴とする請求項２に記載の筐体構造。
【請求項４】
前記押しボタンには、前記弾性部材を圧縮変形させる突起が設けられ、
前記本体部材内部の前記回路を実装する基板には、前記突起を通すための溝が形成されていることを特徴とする請求項３に記載の筐体構造。
【請求項５】
前記第２のスタイルとは、前記第１ブロックと前記第２のブロックとの回動状態により、前記第１のブロックが前記第２のブロックを部分的に覆う面積が前記第１のスタイルよりも少なくなるスタイルであることを特徴とする請求項１乃至４のいずれかに記載の筐体構造。
【請求項６】
前記第１ブロックは更に回転可能に結合される複数のブロックで構成されていることを特徴とする請求項１乃至５のいずれかに記載の筐体構造。
【請求項７】
前記第１ブロックに少なくとも撮影レンズと表示部の何れか一方が設けられ、前記第２ブロックが前記第１ブロックの周囲を囲むフレーム形状に形成されていることを特徴とする請求項１乃至６のいずれかに記載の筐体構造を有する電子機器。
【請求項８】
前記第１ブロックに前記撮像レンズと前記表示部とが設けられている場合、前記複数のブロックの一つが前記撮像レンズを備えるブロックであり、他の一つが前記表示部を備えるブロックであることを特徴とする請求項７に記載の電子機器。
【請求項９】
前記第１のブロックは更にシャッターボタンを備えることを特徴とする請求項７又は８に記載の電子機器。
【請求項１０】
撮影レンズが設けられた第１ブロックと、
前記第１ブロックに回転可能に結合され、表示部及びシャッターボタンが設けられた第２ブロックと、
前記第１ブロック及び第２ブロックの周囲を囲むフレーム形状に形成され、且つ前記第１ブロックに回転可能に結合される第３ブロックと、を備える電子機器であって、
前記第３ブロックは、前記第１ブロックに対し回転可能に接続される端部部材と、前記端部部材に対し着脱可能に接続される本体部材とからなり、前記本体部材の内部に、前記第１ブロック内部の回路基板に導通可能な回路が設けられていることを特徴とする電子機器。
【発明の詳細な説明】
【技術分野】
【０００１】
本発明は、複数のブロックにより構成される筐体構造と、その筐体構造を備える電子機器に関する。
【背景技術】
【０００２】
電子機器において、本体に対しカバー等の部材を着脱可能に取り付ける機構が考えられている。
例えば特許文献１には、携帯電話において、本体部に対し装着部材を着脱可能にロックする機構が開示されている。これによれば、確実にロックされ、落下等の衝撃においては外れない機構となっている。
このように、本体部と着脱部とを着脱可能にする機構については、携帯電話等を中心に考案されている。
【先行技術文献】
【特許文献】
【０００３】
【特許文献１】特開２０１０−１６６４３４号公報
【発明の概要】
【発明が解決しようとする課題】
【０００４】
しかしながら、可動部が多い電子機器の場合、着脱可能な部材を確実にロックする機構を有するのは極めて困難であるという問題がある。
また、可動部が多い電子機器の場合、何某かのデバイスを装着することにより機能追加を行なうと、可動範囲が犠牲になるという問題もある。
【０００５】
本発明の課題は、可動部の多い電子機器であっても、確実なロックが可能であり、且つ機能追加を可能にすることである。
【課題を解決するための手段】
【０００６】
以上の課題を解決するため、本発明は、第１ブロックと、この第１ブロックに回転可能に結合される第２ブロックと、を備え、前記第１ブロックを部分的に覆う第１のスタイルと、前記第１ブロックと前記第２ブロックとの回動状態により前記第１のスタイルとは異なる第２のスタイルと、をとることが可能な筐体構造であって、前記第２ブロックは、前記第１ブロックに対し回転可能に接続される端部部材と、前記端部部材に対し着脱可能に接続される本体部材とからなり、前記本体部材の内部に、前記第１ブロック内部の回路基板に導通可能な回路が設けられ、前記回路は、前記端部部材の前記第１ブロックに対する回転可能な接続箇所で前記回路基板に電気的接続され、前記第１ブロックは、前記端部部材に対する回転可能な接続箇所の内部に、前記回路基板と前記本体部材の前記回路とを電気的に導通させるための導通部材が設けられていることを特徴とする。
【発明の効果】
【０００７】
本発明によれば、可動部の多い電子機器であっても、確実なロックが可能であり、且つ機能追加を可能にすることができる。
【図面の簡単な説明】
【０００８】
【図１】本発明を適用した電子機器の一実施形態の構成を示すもので、カメラの斜視図（ａ）、フレームブロックを回転させた図（ｂ）、表示ブロックを回転させた図（ｃ）、フレームブロックを開いて三脚スタンドのように立てた図（ｄ）である。
【図２】図１のフレームブロックの分解斜視図（ａ）、その本体部材の拡大図（ｂ）、その端部の拡大図（ｃ）、そのＦＰＣ及び押えを省略した図（ｄ）である。
【図３】図２のＦＰＣの端部の拡大正面図である。
【図４】図１のフレームブロック端部部材及び第２ヒンジ部の分解斜視図である。
【図５】図４のフレームブロック端部部材のヒンジ可動部を示す斜視図（ａ）、そのヒンジ可動部に対するフレームブロック本体部材端部の挿入の仕方を示す図（ｂ）、その挿入途中の図（ｃ）、その挿入完了した接続状態の図（ｄ）である。
【図６】図５の接続部に組み付けた押しボタンを押した状態の図（ａ）、その横断面図（ｂ）である。
【図７】フレームブロックにキーを設けた例を示すカメラの斜視図である。
【図８】フレームブロックの他の箇所にキーを設けた例を示す要部断面図である。
【発明を実施するための形態】
【０００９】
以下、図を参照して本発明を実施するための形態を詳細に説明する。
（実施形態）
図１は本発明を適用した電子機器の一実施形態の構成としてカメラを示すもので、１はレンズブロック、２は表示ブロック、３はフレームブロック、４は撮影レンズ、５は表示部、６はシャッターボタン、７はラッチ部である。
【００１０】
図示のように、カメラの筐体は、撮影レンズ４を有するレンズブロック１と、液晶表示による表示部５及びその隣に並ぶシャッターボタン６を有する表示ブロック２と、これら二つのレンズブロック１及び表示ブロック２の周囲を覆うコ字型のフレーム形状に形成したフレームブロック３とからなる三つのブロックにより構成されている。
【００１１】
そして、レンズブロック１に対し表示ブロック２とフレームブロック３が二軸ヒンジ部を介してそれぞれ回転可能に結合されている。
すなわち、レンズブロック１に対して、第１ヒンジ部を介して表示ブロック２が回転可能に結合されるとともに、第２ヒンジ部を介してフレームブロック３が回転可能に結合されている。
【００１２】
二軸ヒンジ部は、レンズブロック１に表示ブロック２を結合する第１ヒンジ部の回転軸線と、レンズブロック１にフレームブロック３を結合する第２ヒンジ部の回転軸線が互いに直交している。
【００１３】
また、図１（ｂ）に示すように、レンズブロック１及び表示ブロック２に対しフレームブロック３が第２ヒンジ部の回転軸線を中心に回転する。
また、図１（ｃ）に示すように、レンズブロック１に対し表示ブロック２が第１ヒンジ部の回転軸線を中心に回転する。
【００１４】
具体的には、フレームブロック３は３６０度回転し、使用時にフレームブロック３の角度を変えることで様々なスタイルで撮影ができる。
まず、図１（ａ）に示すように、フレームブロック３でレンズブロック１及び表示ブロック２の周囲を覆った状態では通常のカメラスタイルで撮影ができる。
【００１５】
また、図１（ｂ）に示すように、フレームブロック３をグリップしてカムコーダーのような持ち方でも撮影ができる。
また、図１（ｄ）に示すように、フレームブロック３を開いて三脚スタンドのように立てて撮影できる。
なお、フレームブロック３のコ字型フレーム形状を活かして壁面などのフックに掛けて撮影できる。
【００１６】
ここで、通常のカメラスタイルで撮影するとき、シャッターボタン６やその他のコントロールキーを親指で操作する際、その操作中に指で表示ブロック２やその表示部５の画面を押し込む力がかかりやすい。
そのとき、レンズブロック１と反対側において、表示ブロック２とフレームブロック３のグラつきを防ぐために、第１ヒンジ部の回転軸線の延長線上に位置するラッチ部７が設けられている。
【００１７】
すなわち、レンズブロック１と反対側において、表示ブロック２とフレームブロック３がラッチ部７により係合状態に保持されるため、図１（ａ）に示すように、通常のカメラスタイルでシャッターボタン６を押しても、表示ブロック２のグラつきを防いで良好な撮影が行える。
また、その他のコントロールキーを親指で操作する際、その操作中に指で表示ブロック２や表示部５の画面を押し込んだときでも、表示ブロック２のグラつきを防ぐことができる。
【００１８】
そして、図１（ｃ）に示すように、レンズブロック１に対し表示ブロック２を第１ヒンジ部の回転軸線を中心に回転させる場合は、その第１ヒンジ部の回転軸線の延長線上において、ラッチ部７によりロック状態に保たれているため、表示ブロック２とフレームブロック３とのクリアランスは小さく安定している。
従って、三つのブロックにより構成されるカメラ筐体として良好な外観が得られる。
【００１９】
次に、図２はフレームブロック３の構成を示すもので、８はフレームブロック本体部材、９はフレームブロック端部部材である。
【００２０】
図示のように、フレームブロック３は、フレームブロック本体部材８と、このフレームブロック本体部材８の両端部に対しそれぞれ着脱可能に接続されるフレームブロック端部部材９とからなる。
また、フレームブロック端部部材９は、レンズブロック１に対し第２ヒンジ部を介して回転可能に接続される
【００２１】
フレームブロック本体部材８は、金属部品（例えばステンレス鋼等の強度部品）によるグリップフレーム８１と、そのグリップフレーム８１の両端部を除いて外周側を覆う樹脂材質によるグリップケース８２とから構成されている。
そして、グリップフレーム８１の外周にはＦＰＣ（フレキシブル回路基板）８３が重ねられ、そのＦＰＣ８３を挟んでグリップフレーム８１の両端部にネジ止め固定するＦＰＣ押え８４が設けられている。
【００２２】
また、グリップフレーム８１の両端部には、先端に開放される切り欠き溝８１ａと、その切り欠き溝８１ａに連続する丸孔８１ｂと、内側の斜面８１ｃが形成されている。
さらに、ＦＰＣ押え８４にも、グリップフレーム８１の切り欠き溝８１ａに対応する切り欠き溝８４ａが形成されている。
【００２３】
図３はＦＰＣ８３の端部を拡大したもので、ＦＰＣ８３の端部には、グリップフレーム８１の切り欠き溝８１ａに対応する切り欠き溝８３ａが形成されて、実装された回路の電極パターン８５の対を成す接点８６・８７が設けられている。
【００２４】
図４はフレームブロック端部部材９及び第２ヒンジ部の構成を示すもので、１１はヒンジ軸、１２はカシメ部品、１３はＦＰＣ、１４はＦＰＣ押え、１５は圧縮コイルバネ、１９は固定部材である。
【００２５】
図示のように、レンズブロック１の両側部には、非導電材質による円筒状のヒンジ軸１１が、その基端部のフランジに、レンズブロック１の内部に設けた固定部材１９の一対のピン１９ａを挿通することで、回転止めして組み付けられる。
そして、ヒンジ軸１１の外周に、円筒状のカシメ部品１２が回転自在に装着される。
【００２６】
また、ヒンジ軸１１の基端部には、レンズブロック１内部の図示しないメイン回路基板に接続されているＦＰＣ１３が重ねられ、そのＰＰＣ１３を挟んでヒンジ軸１１の基端部のフランジに嵌め付け固定するＦＰＣ押え１４が設けられている。
さらに、ＦＰＣ押え１４と固定部材１９との間に圧縮コイルバネ１５を介装して、ヒンジ軸１１及びカシメ部品１２の基端部のフランジがレンズブロック１内部に組み込まれる（図６参照）。
【００２７】
また、フレームブロック端部部材９は、カシメ部品１２の先端部のフランジにカシメ付けて固定されるヒンジ可動部９１（図５（ａ）参照）と、そのヒンジ可動部９１の外側を覆う樹脂部品によるグリップケース９２とから構成されている。
そして、グリップケース９２には、樹脂部品による押しボタン９３が組み付けられている。すなわち、押しボタン９３は、グリップケース９２の内部にネジ止め固定されて、グリップケース９２に形成した窓部９２ａに配置されている。
【００２８】
また、押しボタン９３には、内側に突出する突起９３ａが設けられている。
【００２９】
また、非導電材質による円筒状のヒンジ軸１１の内部には、図５（ａ）及び図６（ｂ）にも示すように、中心に位置する丸棒状の導電体１６と、ヒンジ軸１１の内周に接する円環状の導電体１７と、これら導電体１６・１７間に介装される円環状の非導電体１８が組み込まれて一体化されている。
なお、導電体１６・１７は、ＦＰＣ１３の電極パターンの対をなす接点（図略）にそれぞれ接続状態となっている。
【００３０】
ここで、ヒンジ軸１１の一体化部品作製方法としては、導電体１６と導電体１７の材質を、例えばＳＵＳ等の高強度材にして、ヒンジ軸１１と非導電体１８を、例えばＰＰＳ等の高強度樹脂で一体成形して、図のような４重構造を作製する。
【００３１】
あるいは、最外形部のヒンジ軸１１を強度確保のため、例えば金属の削り出しやダイカストで作成し、導電体１７の周囲に絶縁加工を施して、導電体１６、導電体１７、非導電体１８の一体部品を挿入などで作製する。なお、この場合は５重構造となる。
【００３２】
または、最外形部のヒンジ軸１１と導電体１７を、例えば同一の材質（金属）で作成して、導電体１６と非導電体１８と一体成形を行って作製する。
これにより、最外形部は金属部品と接触しているため、ＧＮＤとして使用し、導電体１６を信号線としての使用が可能となる。なお、この場合は３重構造となる。
その他、何種類かの作製方法が考えられる。
【００３３】
以上のフレームブロック端部部材９及び第２ヒンジ部において、ヒンジ可動部９１は、フランジをカシメ付けて固定したカシメ部品１２と一緒にヒンジ軸１１の周りを回転する。
そして、ヒンジ軸１１は、ＦＰＣ押え１４と固定部材１９との間の圧縮コイルバネ１５により突出方向に付勢されている。
従って、ヒンジ可動部９１の外側には、図５（ａ）に示すように、ヒンジ軸１１の先端が突出状態にある。
【００３４】
図５（ｂ）〜（ｄ）はフレームブロック本体部材８のグリップフレーム８１をフレームブロック端部材９のヒンジ可動部９１に接続する仕方を説明したものである。
【００３５】
図５（ｂ）に示すように、グリップフレーム８１をヒンジ可動部９１のスライドガイド部に挿入し、スライドさせていくと、図５（ｃ）に示すように、グリップフレーム８１の先端斜面８１ｃがヒンジ軸１１の先端に乗り上げて、圧縮コイルバネ１５の付勢に抗してヒンジ軸１１が押し込まれる。
そして、図５（ｄ）に示すように、グリップフレーム８１をヒンジ可動部９１のスライドガイド部の最奥までスライドさせると、グリップフレーム８１先端の丸孔８１ｂにおいて、圧縮コイルバネ１５の付勢によりヒンジ軸１１の先端が突出してロック状態となる。
【００３６】
なお、このとき、押しボタン９３の突起９３ａは、グリップフレーム８１、ＦＰＣ８３及びＦＰＣ押え８４端部の切り欠き溝８１ａ・８３ａ・８４ａの内方に位置している。
【００３７】
以上の接続状態において、グリップフレーム８１先端のＦＰＣ８３の接点８６はヒンジ軸１１の中央の導電体１６と導通し、ＦＰＣ８３の接点８７はヒンジ軸１１の内周の導電体１７と導通する。
【００３８】
すなわち、グリップフレーム８１に固定されたＦＰＣ８３は、フレームブロック３の回転に伴いヒンジ軸１１内の導電体１６・１７に接したまま摺動する。
そして、グリップフレーム８１のＦＰＣ８３の接点８６とヒンジ軸１１の導電体１６は同心円のため、フレームブロック３が回転しても常に接している。
また、ヒンジ軸１１内周の導電体１７は円環状のため、グリップフレーム８１のＦＰＣ８３の接点８７は回転中もヒンジ軸１１内周の導電体１７と常に接している。
【００３９】
なお、レンズブロック１のヒンジ軸１１と固定されたＦＰＣ１３も同構造になっているが、回転しないため、その対を成す接点は導電体１６・１７にそれぞれ電気的に常に接している。
【００４０】
また、フレームブロック本体部材８を外すときには、図６（ａ）、（ｂ）のように、フレームブロック端部部材９の押しボタン９３を矢印Ａの方向に押すことにより、その突起９３ａで押されてヒンジ軸１１が圧縮コイルバネ１５の付勢に抗して引っ込む。
これにより、グリップフレーム８１先端の丸孔８１ｂに対するヒンジ軸１１先端のロックが解除されて、グリップフレーム８１、すなわち、フレームブロック本体部材８を抜くことができる。
【００４１】
以上のように、レンズブロック１とフレームブロック３の電気的な接続が可能になったことにより、フレームブロック３に、次のような機能の追加が行える。
【００４２】
例えば図７のように、フレームブロック本体部材８にズームキー３１を設置する。
【００４３】
また、フレームブロック３のＦＰＣ８３をレンズブロック１の両側ともに接続させることで、例えば図８のように、ストラップ通し部材を兼ねた、押圧操作されることにより無線ＬＡＮ等を用いたアクセスポイントのサーチを実行させる等のキー３２を設け、その接点３３をＦＰＣ８３に電気的接続して、複数の機能を追加することも可能である。
【００４４】
また、例えば自転車に固定するアタッチメントなど電気的要素を必要としないフレームブロック３として、色々な柄の着せ替え部品として脱着も可能である。
【００４５】
以上のとおり、レンズブロック１、表示ブロック２、フレームブロック３を備えた可動部の多いカメラであっても、フレームブロック３は、レンズブロック１にヒンジ軸１１を介して結合したフレームブロック端部部材９に対しフレームブロック本体部材８が着脱可能に接続される筐体構造のため、フレームブロック端部部材９にフレームブロック本体部材８を接続して確実にロックすることができる。
【００４６】
そして、フレームブロック本体部材８の内部に、レンズブロック１内部の回路基板に導通可能な回路が設けられているため、機能追加を可能にすることができる。
【００４７】
すなわち、カメラのレンズブロック１に対するフレームブロック３の物理的な脱着が可能になったことにより、色違いの部品を着せ替えたり、例えば自転車固定用のアタッチメントを取り付けたりすることができる。
【００４８】
さらに、レンズブロック１とフレームブロック３を電気的に接続可能としたことで、フレームブロック３にズームキー３１や、キー３２等の機能を持たせることができる。
以上により、カメラとしての商品価値を向上させることができる。
【００４９】
（変形例）
以上の実施形態においては、カメラとしたが、本発明はこれに限定されるものではなく、カメラを備える携帯電話など他の電子機器であってもよい。
また、実施形態では、レンズブロックにフレームブロックを回転可能に結合したが、表示ブロックにフレームブロックを回転可能に結合してもよい。
また、各ブロックの形状等も任意であり、その他、具体的な細部構造等についても適宜に変更可能であることは勿論である。
【００５０】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。
付記に記載した請求項の項番は、この出願の願書に最初に添付した特許請求の範囲の通りである。
〔付記〕
＜請求項１＞
第１ブロックと、
前記第１ブロックに回転可能に結合される第２ブロックと、
前記第１ブロック及び第２ブロックを部分的に覆い、且つ前記第１ブロックに回転可能に結合される第３ブロックと、を備える筐体構造であって、
前記第３ブロックは、前記第１ブロックに対し回転可能に接続される端部部材と、前記端部部材に対し着脱可能に接続される本体部材とからなり、前記本体部材の内部に、前記第１ブロック内部の回路基板に導通可能な回路が設けられていることを特徴とする筐体構造。
＜請求項２＞
前記第３ブロックは、前記本体部材内部の前記回路が、前記端部部材の前記第１ブロックに対する回転可能な接続箇所で前記回路基板に電気的接続され、
前記第１ブロックは、前記端部部材に対する回転可能な接続箇所の内部に、前記回路基板と前記本体部材の前記回路とを電気的に導通させるための導通部材が設けられていることを特徴とする請求項１に記載の筐体構造。
＜請求項３＞
前記本体部材内部の前記回路が、前記端部部材の前記第１ブロックに対する回転可能な接続箇所において、前記回路基板に対し、前記導通部材を前記第１ブロックから突出方向に付勢する弾性部材の付勢力により電気的接続状態に保持されることを特徴とする請求項２に記載の筐体構造。
＜請求項４＞
前記端部部材には、前記本体部材を外す際に操作される押しボタンが設けられ、
前記押しボタンが操作されると、前記弾性部材が圧縮変形して前記端部部材から前記本体部材を取り外し可能な状態となることを特徴とする請求項３に記載の筐体構造。
＜請求項５＞
前記押しボタンには、前記弾性部材を圧縮変形させる突起が設けられ、
前記本体部材内部の前記回路を実装する基板には、前記突起を通すための溝が形成されていることを特徴とする請求項４に記載の筐体構造。
＜請求項６＞
請求項１から５のいずれか一項に記載の筐体構造を備えることを特徴とする電子機器。
＜請求項７＞
前記第１ブロックに撮影レンズが設けられ、
前記第２ブロックに表示部及びシャッターボタンが設けられて、
前記第３ブロックが前記第１ブロック及び第２ブロックの周囲を囲むフレーム形状に形成されていることを特徴とする請求項６に記載の電子機器。
【符号の説明】
【００５１】
１  第１ブロック
１１  ヒンジ軸
１２  カシメ部品
１３  回路基板
１４  基板押え
１５  弾性部材
１６  導通部材
１７  導通部材
１８  非導通部材
１９  固定部材
１９ａ  ピン
２  第２ブロック
３  第３ブロック
３１  ズームキー
３２  キー
３３  接点
４  撮影レンズ
５  表示部
６  シャッターボタン
７  ラッチ部
８  第３ブロック本体部材
８１  グリップフレーム
８１ａ  溝
８１ｂ  孔
８１ｃ  斜面
８２  グリップケース
８３  回路基板
８３ａ  溝
８４  基板押え
８４ａ  溝
８５  電極パターン
８６  接点
８７  接点
９  第３ブロック端部部材
９１  ヒンジ可動部
９２  グリップケース
９３  押しボタン
９３ａ  突起
【図１】
0005990875.tif 000002
【図２】
0005990875.tif 000003
【図３】
0005990875.tif 000004
【図４】
0005990875.tif 000005
【図５】
0005990875.tif 000006
【図６】
0005990875.tif 000007
【図７】
0005990875.tif 000008
【図８】
0005990875.tif 000009